(57)【特許請求の範囲】
【請求項１】
床面より下方に固定され軸が設けられたベースブラケットと、前面に操作部が形成された車載用電子機器の側面に固定され前記軸に挿入される孔が後部に形成され前記ベースブラケットに回動可能に保持されるサイドブラケットと、前記サイドブラケットに摺動可能に保持されたスライドブラケットと、前記スライドブラケットの係止片と前記ベースブラケットの係止片とからなり前記サイドブラケットと前記ベースブラケットとを係合させる係合手段と、前記係合手段を操作し前記サイドブラケットと前記ベースブラケットとの係合または係合解除を行う操作手段とを具備し、前記サイドブラケットに固定された前記車載用電子機器本体が前記ベースブラケットの軸を支点として回動可能に保持し、前記係合手段が係合した状態で前記操作手段が前記サイドブラケットと前記ベースブラケットとをロックする車載用電子機器取付装置。
【請求項２】
前記操作手段は、前記スライドブラケットに螺合するボルトと前記ボルトに設けられたノブとからなり、前記スライドブラケットの係止片は前記ベースブラケットの下面に係合し、前記ノブを回動させて前記ボルトを回転させ前記ボルトに螺合するスライドブラケットが上方に移動して前記サイドブラケットが前記ベースブラケットにロックされる請求項１記載の車載用電子機器取り付け装置。
【請求項３】
前記車載用電子機器が、前面にマガジン挿入口が形成されたディスクチェンジャーである請求項１または２記載の車載用電子機器取付装置。
【請求項４】
係合手段の係合解除時に電子機器に弾性力を与えて電子機器を回動させる弾性体を具備してなる請求項１ないし請求項３のいずれかに記載の車載用電子機器取付装置。
【発明の詳細な説明】
【０００１】
【発明の属する技術分野】
本発明は、車載用のコンパクトディスク（ＣＤ）チェンジャー装置など電子機器取付装置に関する。
【０００２】
【従来の技術】
従来の車載用のＣＤチェンジャー装置は自動車のトランクの床面上に固定して使用するものであった。ＣＤチェンジャー装置は、複数枚のディスクが収納されたマガジン内のディスクを交換する場合にのみＣＤチェンジャーよりマガジンを取り出すものであり、通常はマガジンを取り出す必要がないものである。
【０００３】
このように、マガジン内のディスクを交換する場合以外はチェンジャーを操作する必要性がないのに、チェンジャーをトランク床面上に設置していたものであり、トランク等の床面が有効活用できない問題があった。
【０００４】
【発明が解決しようとする課題】
本発明は、上記従来の問題を解決するものであり、通常は床面より下に電子機器を収納し、この電子機器の調整部を調整する場合、マガジンなどを取り出す場合に調整部などを床面より突出させることができる電子機器取付装置を提供することを目的とする。
【０００５】
【課題を解決するための手段】
本発明は、上記従来の問題点を解決するために、床面より下に固定されたベースブラケットに電子機器を回動可能に保持することを特徴とするものであり、電子機器の調整部の調整時、またはディスク、ディスクマガジン、メモリカードなどを交換する場合のみ電子機器を回動させ、電子機器の調整部などを床面より突出することができるものである。
【０００６】
【発明の実施の形態】
本発明は、床面より下方に固定されたベースブラケットと、電子機器本体の側面に固定され上記ベースブラケットに回動可能に保持されるサイドブラケットと、上記サイドブラケットと上記ベースブラケットとを係合させる係合手段と、この係合手段を操作し上記サイドブラケットと上記ベースブラケットとの係合または係合解除を行う操作手段とを具備したことを特徴とするものであり、通常は電子機器が床面より下に収納され、操作などを必要とする場合のみ床面より突出させることができ通常使用時の床面を有効に活用できるものである。
【０００７】
本発明は、床面より下方に固定されたベースブラケットと、前面に操作部が形成された電子機器と、上記電子機器の側面に固定され後部が上記ベースブラケットに回動可能に保持されるサイドブラケットと、上記サイドブラケットと上記ベースブラケットを係合させる係合手段と、この係合手段を操作し上記サイドブラケットと上記ベースブラケットとの係合または係合解除を行う操作手段とを具備したことを特徴とするものであり、調整などを行う必要性がある場合のみ電子機器を回動させ電子機器の前面を床面より突出させることができるものである。
【０００８】
本発明は、前面にマガジン挿入口が形成されたディスクチェンジャーを回動可能に保持し、マガジン取り出し時のみ、ディスクチェンジャーの前面を床面より突出することができるものである
【０００９】
本発明は、サイドブラケットに摺動可能に保持されたスライドブラケットの係止片とベースブラケットに形成された係止片とで係合手段を構成したことを特徴とするものであり、スライドブラケットをスライドさせるだけで電子機器のロック、ロック解除を行うことができるものである。
【００１０】
本発明は、係合手段の係合解除時に電子機器に弾性力を与えて電子機器を回動させる弾性体を具備したことを特徴とするものであり、係合解除時に電子機器を自動的に回動させ床面より突出させることができるものである。
【００１１】
以下、本発明の実施の形態について、図１から図１３を用いて説明する。
（実施の形態１）
図１−図１３は、本発明の一実施の形態におけるＣＤチェンジャー装置を示している。本実施例は、自動車のトランクの床面の凹部内に収納するＣＤチェンジャー装置である。図１、図２において、１は自動車のトランク内の床面であり、この床面１には４角形の孔２が形成されている。３は上面が開口した収納箱体であり、この収納箱体３内にＣＤチェンジャー４が収納される。図１、図２において、４ＡはＣＤチェンジャー４の前面に摺動可能に保持されたドアであり、図２に示すようにドア４Ａを左方向にスライドさせると、マガジン挿入口が開口するものであり、マガジン挿入口を開口した状態でマガジンＭの挿入、排出を行うものである。図１、図２に示すように、本実施例は、通常状態では図１に示すようにＣＤチェンジャー４が床面１より下方に収納され、マガジンＭの挿入、排出時には図２に示すように、ＣＤチェンジャー４が回動しＣＤチェンジャー４の前面が床面１より飛出しマガジンＭの挿入排出が可能になるものである。
【００１２】
図３は上記収納箱体３の底面にネジ止め又は接着により取付けらけるベースブラケット５を示している。ベースブラケット５は金属板をＬ字状に折り曲げた形状であり、このＬ字状のベースブラケット５の底板６に形成された孔７を利用してベースブラケット５は収納箱体３の底面に固定したり、接着剤により固定される。８はベースブラケット５の側板９の外側面に設けられた軸であり、この軸８の形状は図８に示すように円柱状の軸の外周面に平行な面８Ａ、８Ｂを形成した形状である。なお軸８の先端部に抜け止め用の径大部８Ｃが形成されている。１０はベースブラケット５の側板９の上方中央に植設された軸１１に保持された弾性体であり、この弾性体１０の先端はほぼ９０度折曲げられている。１２は側板９の上部の前端部に形成された係止片である。
【００１３】
図４はＣＤチェンジャー４の側面に固定されるサイドブラケット１３であり、このサイドブラケット１３は金属板を逆Ｕ字状に折曲げた形状に形成されている。１４、１５はサイドブラケット１３の内面板、外面板、１６は内面板１４、外面板１５とを連結する上面板であり、上記内面板１４、外面板１５、上面板１６で逆Ｕ字状のサイドブラケット１３が構成される。サイドブラケット１３の内面板１４がネジ１７によりＣＤチェンジャー４の側面にネジ止めされる。１８は外面板１５の後端に形成された孔、１９は孔１８と外周端面とを連通する溝である。２０はサイドブラケット１３の上面板１６に形成された長穴、２１は上記長穴２０に挿入されるボルトであり、このボトル２１の上端にはノブ２２が設けられている。２３、２４、２５は上記シャフト２１に挿入されるワッシャー、コイルバネ、スライドブラケットであり、２６は抜け止め用のＥリング又は割りピンである。２５Ａはスライドブラケット２５に形成されたネジ穴であり、上記ボルト２１がネジ穴２５Ａに螺合する。２５Ｂはスライドブラケット２５に設けられた係止片である。上記スライドブラケット２５はコイルバネ２４により下方向に付勢されている。上記ノブ２２を持ってシャフト２１を長穴２０に沿って前後に摺動させると、スライドブラケット２５も前後に移動するものである。
【００１４】
図６、図７はベースブラケット５にサイドブラケット１３を回転自在に保持させる状態を示している。図６に示しようにサイドブラケット１３の後端の溝１９をベースブラケット５の軸８に上方より挿入する。上記溝１９は軸８に形成された平行な面８Ａ、８Ｂを利用して挿入するものであり、溝１９を軸８に挿入した後サイドブラケット１３の孔１８が軸８に挿入され、サイドブラケット１３が軸８により回転可能に保持される。図７に示すようにサイドブラケット１３が軸８により回転可能に保持された状態でＣＤチェンジャー４をほぼ９０度回転させた後にノブ２２を後方にスライドさせると、スライドブラケット２５の係止片２５Ｂがベースブラケット５の係止片１２に係合するものである。図７に示すＣＤチェンジャー４の保持状態では、ベースブラケット５に設けられた弾性体１０の弾性力によりＣＤチェンジャー４は上方へ付勢されているものである。
【００１５】
次に上記実施の形態の動作について説明する。図６に示すように、予めベースブラケット５を収納箱体３の底面にネジ止め又は接着止めしておき、またサイドブラケット１３をＣＤチェンジャー４の側面にネジ止めしておく。図６に示すように、収納箱体３の底面にネジ止めされたベースブラケット５の軸８に、ＣＤチェンジャー４の側面にネジ止め又は接着止めされたサイドブラケット１３の後端の溝１９を介して孔１８に上方より挿入する。ＣＤチェンジャー４がベースブラケット５の軸８に回転可能に保持された状態で、図７に示すようにＣＤチェンジャー４を弾性体１０の弾性力に抗して床面１に接近するように回動させる。ＣＤチェンジャー４が床面１に接近した状態において、ノブ２２を後方にスライドさせると、スライドブラケット２５の係止片２５Ｂが図１１に示すようにベースブラケット５の係止片１２の下面に係合する。ここでノブ２２を回動させると、ボルト２１が回転しこのボルト２１に螺合するスライドブラケット２５が上方に移動し、サイドブラケット１３がベースブラケット５に強固にロックされる。
【００１６】
図１０に示す状態で、マガジンＭ内のＣＤを交換する場合には、図１２、図１３に示すようにノブ２２を反時計方向に回動させた後にノブ２２を前方にスライドさせる。ノブ２２を前方にスライドさせると、スライドブラケット２５の係止片２５Ｂとベースブラケット５の係止片１２との係合が解除され、弾性体１０の弾性力によってＣＤチェンジャー４は軸８を支点として反時計方向（図１２）に回動し、図２に示すようにＣＤチェンジャー４の前面が床面１より突出する。図２に示す状態で、ＣＤチェンジャー４のドア４Ａを左方向にスライドさせると、ＣＤチェンジャー４のマガジン挿入口が開口し、マガジンＭの取り出し可能になる。マガジンＭを取り出してＣＤの交換を行い、再度マガジンＭをＣＤチェンジャー４に挿入する場合には、マガジンＭをマガジン挿入口に挿入して、弾性体の弾性力に抗してＣＤチェンジャー４を時計方向に回動させた後、ノブ２２を後方にスライドさせ、さらにノブ２２を回動させることにより、ＣＤチェンジャー４をロックできるものである。
【００１７】
なお、上記実施例はディスクチェンジャーの例であるが、ディスクチェンジャーに限らず、地図ディスク、メモリカードが取換え可能な車載用のナビゲーション装置や調整の必要が生じた場合のみ操作部を操作する電子機器などに本発明は使用できるものである。
【００１８】
【発明の効果】
以上のように本発明によれば、通常使用時には電子機器が床面より下方に配置され、操作などを必要とする場合のみ電子機器を回動させ、電子機器の調整部を床面より突出させることができるため、床面を有効に利用できる利点を有するものである。
【図面の簡単な説明】
【図１】本発明の実施の形態１におけるディスクチェンジャー装置の取付状態の斜視図
【図２】同実施の形態１におけるディスクチェンジャー装置の取付状態の斜視図
【図３】同実施の形態１におけるベースブラケットの斜視図
【図４】同実施の形態１におけるサイブラケットの斜視図
【図５】同実施の形態１におけるサイドブラケットの要部の分解斜視図
【図６】同実施の形態１におけるディスクチェンジャーをベースブラケットに取付ける状態を示す側面図
【図７】同実施の形態１におけるディスクチェンジャーをベースブラケットに取付ける状態を示す側面図
【図８】同実施の形態１におけるサイドブラケットとベースブラケットの軸との関係を示す図
【図９】同実施の形態１におけるサイドブラケットをベースブラケットの軸に回動可能に保持した状態を示す図
【図１０】同実施の形態１におけるディスクチェンジャーをロックした状態の斜視図
【図１１】同実施の形態１におけるロック状態の要部断面図
【図１２】同実施の形態１におけるディスクチェンジャーのロックを解除した状態の斜視図
【図１３】同実施の形態１におけるロック解除状態の要部断面図
【符号の説明】
１  床面
２  孔
３  収納箱体
４  ＣＤチェンジャー
５  ベースブラケット
８  軸
１０  弾性体
１２  係止片
１３  サイドブラケット
１８  孔
１９  溝
２１  ボルト
２２  ノブ
２５  スライドブラケット
２５Ｂ  係止片
Ｍ  マガジン
【図１】
0003944968.tif 000002
【図２】
0003944968.tif 000003
【図３】
0003944968.tif 000004
【図４】
0003944968.tif 000005
【図５】
0003944968.tif 000006
【図６】
0003944968.tif 000007
【図７】
0003944968.tif 000008
【図８】
0003944968.tif 000009
【図９】
0003944968.tif 000010
【図１０】
0003944968.tif 000011
【図１１】
0003944968.tif 000012
【図１２】
0003944968.tif 000013
【図１３】
0003944968.tif 000014